(57)【要約】      （修正有）【課題】合わせ鏡によって、理美容依頼人の頭部のみならず、試着や仮縫などでの全身の写像が広い自由度で得られ、所望室内空間での簡便な移動のできる合わせ鏡装置を提供する。【解決手段】垂直姿勢を確保する支持手段３で支持される支柱２と、支柱２に上下摺動自在に外嵌する一対の受け金５と、受け金５の少なくとも一方で前記支柱２の軸心と直交する方向に、受け金５に対して前後進自在に係合して縦設される受け軸４と、受け軸４の上下端部に水平面内で開閉自在に重畳係着される一対の鏡取付け金具と、各鏡取付け金具接合される一対の合わせ鏡１とから成り、前記支持手段３は両固定柱３a、３a間に架設された案内レール３bで支柱２の上部を前後進自在に案内支持し、支柱２の下端に接合されるキャスター３iで支柱２の下部を床面に案内する。【選択図】図１
2009254729.tif 000002
【特許請求の範囲】
【請求項１】
垂直姿勢を確保する支持手段で支持される支柱と、該支柱に上下摺動自在に外嵌する一対の受け金と、該受け金に対して並行かつ前後進自在に係合して縦設される受け軸と、該受け軸に水平面内で開閉自在に重畳係着される一対の鏡取付け金具と、各鏡取付け金具に接合される一対の合わせ鏡とから成る合わせ鏡装置。
【請求項２】
前記支持手段が、前後所要スパンで配設される一対の固定柱と、両固定柱に架設される案内レールと、該案内レールに案内される一対のロール体と、両ロール体に垂下される両垂直軸に接合される取付け板と、該取付け板に所要のピッチで開口された取付け孔と、支柱の上端に接合され、該取付け孔に嵌挿されてナットで締結されるネジ軸と、支柱の下端で上下調節自在に接合される支持体とから成る請求項１記載の合わせ鏡装置。
【請求項３】
前記支持手段が、前記支柱を昇降自在に案内する案内管と、該案内管の下端に接合される盤体と、該盤体の下面の要所で垂下されるキャスターと、盤体の上方で案内管の周囲を支える支持フレームと、案内管に外嵌するアームに吊下されるバランスウェイトとから成る請求項１記載の合わせ鏡装置。
【発明の詳細な説明】
【技術分野】
【０００１】
本発明は、理美容を受けている理美容依頼人の後頭部のみならず、試着や仮縫などでの全身状態の背面も目視できる合わせ鏡装置に関する。
【背景技術】
【０００２】
本出願人は、先に合わせ鏡を介して理美容依頼人がその頭部周面の施術を余すところなく確認できる理美容用写像装置を特開２００７−３２５７０４号公報（特許文献１）で提案した。しかし同提案には次の問題点があった。合わせ鏡５の移動保持手段が特定空間に設備されるためにその利用自由度が狭いこと。合わせ鏡５の保持手段が壁面１に上下揺動自在に支持されるアーム７によるものでは、合わせ鏡５の連結中心６が常に理美容依頼人の頭部の中心にあって左右何れかの側方へずらした写像を得ることができないこと。天井２１に垂下されたレール２５に案内される吊下体２７によるものでは、理美容依頼人の頭部の左右何れか側方へずれた位置での写像を得ることができるが、頭部に対して合わせ鏡の姿勢を水平状態で前後進できないため、限定された写像での確認となることである。
【特許文献１】特開２００７−３２５７０４号公報
【発明の開示】
【発明が解決しようとする課題】
【０００３】
本発明は、合わせ鏡による正面鏡の写像が、理美容依頼人頭部周面のみならず試着や仮縫などでの背面を含む全身の写像が広い自由度で得られ、所望空間へ簡便に移動のできる合わせ鏡装置の提供をその目的とする。
【課題を解決するための手段】
【０００４】
本発明の請求項１に記載した合わせ鏡装置は、垂直姿勢を確保する支持手段で支持される支柱と、該支柱に上下摺動自在に外嵌する一対の受け金と、該受け金の少なくとも一対で前記支柱の軸心と直交する方向に、受け金に対して前後進自在に係合して縦設される受け軸と、該受け軸の上下端部に水平面内で開閉自在に重畳係着される一対の鏡取付け金具と、各鏡取付け金具に接合される一対の合わせ鏡とから成る。
また、請求項２に記載した発明は、請求項１に記載した合わせ鏡装置において、
前記支持手段が、前後所要スパンで配設される一対の固定柱と、両固定柱に架設される案内レールと、該案内レールに案内される一対のロール体と、両ロール体に垂下される両垂直軸に接合される取付け板と、該取付け板に所要のピッチで開口された取付け孔と、支柱の上端に接合され、該取付け孔に嵌挿されてナットで締結されるネジ軸と、支柱の下端で上下調節自在に接合される支持体とから成る。
さらに、請求項３に記載した発明は、請求項１に記載した合わせ鏡装置において、
前記支持手段が、前記支柱を昇降自在に案内する案内管と、該案内管の下端に接合される盤体と、該盤体の下面の要所で垂下されるキャスターと、盤体の上方で案内管の周囲を支える支持フレームと、案内管に外嵌されるアームに吊下されるバランスウェイトとから成る。
【発明の効果】
【０００５】
本発明の合わせ鏡装置によれば、必要とする室内空間に簡便に設置できる上、合わせ鏡の姿勢制御が前後進、上下動、左右動、さらには前傾後傾自在と広範に渡るため、頭部のみならず全身に渡って写像を入手できるから、理美容業界のほか、アパレル業界に関連する量販店の試着室での利用や服飾業界での仮縫室にも利用され得る。
【発明を実施するための最良の形態】
【０００６】
合わせ鏡を支持する支柱が案内レールに案内されるものでは、その下端で上下調節自在に接合される支持体は、キャスターであるものから、単に床面に着座する座盤などであり、また、支柱が床面で移動自在なものでは、該支柱が支持フレームの上方で案内管に案内されて合わせ鏡を昇降自在に案内するものから、支持フレームの上下方向中間部で昇降自在に案内されるものがある。支柱に案内される受け金と受け軸との係合においては、受け金の外腕金と係合する内腕金が直接長尺円管から成る支持管に接合されるものから、逆Ｌ形、Ｌ形の支持金に接合された内腕金を介して接合されるものがある。受け軸に水平面内で開閉自在に係着される鏡取付け金具は、鏡の上下横框に接合されるもの、縦框に接合されるもの、上下の横框に接合された固定金に対して摺動自在に接合されるものがある。
一対の合わせ鏡を蝶番などで開閉自在に接合した場合には、鏡取付け金具は前記固定金に対して摺動自在に接合され、一対の合わせ鏡相互を蝶番などで接合しない場合は、各鏡取付け金具は固定金（或いは直接框に）に固定的に接合される。受け金の外腕金に対する受け軸に直接、間接に接合される内腕金の関係は、一方において摺動自在（前後進自在）とし、他方（下方）を回動支点として係合するものから、両方（上下）を前後進自在に係合するものがある。
【実施例】
【０００７】
本発明の合わせ鏡装置Ａを実施例により説明すると、図１に示すように、左右一対の合わせ鏡１が装着される支柱２を垂直姿勢に保持する支持手段３として、左右所要スパンで配設される固定柱３a、３aと、両固定柱３a、３aに架設される案内レール３bと、案内レール３bに案内される一対のロール体３c（前後にロールが配設されたもの）と、両ロール体３cに垂下される各垂直軸３dに接合される取付け板３eと、取付け板３eに所要のピッチで開口される取付け孔３fと、支柱２の上部に上下摺動自在に嵌合された調整棒２aの上端に接合されて取付け孔３fに嵌挿されてナット３gで締結されるネジ軸３hと、支柱２の下端で上下調節自在に接合される支持体としてのキャスター３iとによってその姿勢が垂直に確保される。
【０００８】
支柱２と、合わせ鏡１を支持する受け軸４との関係は、図２に示すように、支柱２に上下方向摺動自在に外嵌され蝶ボルト５aで接合される上下一対の受け金５には、それぞれ合わせ鏡１の方向へ向けてその外周に一対の外腕金５bが支柱１の軸心に直交する方向に突設される。その中で上方の外腕金５bには、水平方向に所要長さの長孔５cが開口され、この両外腕金５b、５bに対し図３に示すようにその内幅に内嵌する幅寸法の両内腕金６a、６aは、図２にも示すように水平辺６bの左端から垂直辺６cを垂下した逆Ｌ形状の支持金６の垂直辺６cに溶着され、各内外腕金６a、６bの嵌合する面には連通するボルト挿通孔６dが貫設され、そして支持金６の水平辺６bにはその長手方向に沿って所要径の長孔からなる嵌着孔６eが貫設される。
【０００９】
下方の両外腕金５b、５bにはボルト挿通孔５dが貫設され、両外腕金５b、５bに対してその内幅に内嵌する幅寸法の両内腕金６a、６aは前記と同様に、水平辺６bの左端から垂直辺６cを立上げたＬ形の支持金６の垂直辺６cに溶着されその先端部で両者に渡ってボルト挿通孔６dが貫設され、支持金６の水平辺６bにも前記と同仕様、同位相の嵌着孔６eが貫設される。
【００１０】
上方の受け金５では図３に示すように、外腕金５bの長孔５cと内腕金６aのボルト挿通孔６dに挿通された蝶ボルト７に蝶ナット７aが螺着されて、両外腕金５b、５bに対し両内腕金６a、６aが前後進自在に内嵌される。下方の受け金５では両外腕金５b、５bのボルト挿通孔５dと両内腕金６a、６aのボルト挿通孔６dにボルト８が挿通されナット８aが螺着されて、両外腕金５b、５bに対して両内腕金６a、６aはボルト８を回動支点として回動自在に接合される。
【００１１】
一対の合わせ鏡１、１は鏡面を内面にして折りたたまれるように、縦框相互がその要所で蝶番９により図３に示すように開き角度Ｋ調節自在に接合され、その上下の横框にはそれぞれアングル状の固定金１０がビスで接合され、左右それぞれ上下の固定金１０にはボルト（蝶ボルトでも可）１０aが螺設され、ボルト１０aの軸部には受け軸４の軸棒４aに開閉自在に重畳嵌着される鏡取付け金具４bに開口された長孔４cが係合され、軸棒４aの上下端にはそれぞれ支持金６の水平辺６bに開口された嵌着孔６eが外嵌されるとともに、外側の鏡取付け金具４bの表面と各支持金６の水平辺６bの下面間にはそれぞれスペーサー４dが外嵌され、軸棒４aの上下で中心に螺設されたネジ孔には座金４eを介して蝶ボルト４fが螺合され、支持金６に対して軸棒４aの中心位置及び両合わせ鏡１、１の開き角度Ｋが調節される。本実施例の図２に示した受け軸４は、合わせ鏡１の上下の横框に取着された固定金１０の表面間の寸法を高さ寸法とする支持管４gと、その上下に所要寸法突出して支持管４gに溶着（セットスクリューで一体化されるも可）される軸棒４aとから成る。また、支持金６と受け軸４との関係は図３、図４に示すように、支持金６の水平辺６bに開口された嵌着孔６eの両端に渡って移動自在に受け軸４が位置取りされる。
【００１２】
すなわち、図３に示す状態は被写体（人物）Ｍの中心に受け軸４の中心が合致するように、受け軸４を支持金６の嵌着孔６eに位置決めし、両合わせ鏡１、１の開き角度Ｋを120°として図１に示す正面鏡３jに被写体Ｍの後部像（後部から左右それぞれの側面に渡る像）が２個見えるように蝶ボルト４fで固定するものであり、図４に示したものは被写体Ｍの中心より支持金６の嵌着孔６eの左端に受け軸４を移動し、両合わせ鏡１、１の中心を右方へ若干回動して被写体Ｍの左側面から左前面に及ぶ像を主体として正面鏡３jに写像できるようにしたものであり、仮想線で示したものは前記の場合と逆に被写体Ｍの右側面から右前面に及ぶ像を主体として正面鏡３jに写像できるようにしたものである。
【００１３】
このようにして成る合わせ鏡装置Ａは、前後の固定柱３a、３aと両固定柱３aに架設された案内レール３bとともに、所望の室内空間に持ち込み使用される。被写体Ｍに対する支柱２の前後進は案内レール３bに案内される前後一対のロール体３cによってなされ、上下動は受け金５の支柱２に対する蝶ボルト５aの締結、解除によってなされ、前後傾は上下の受け金５、５の外腕金５b、５bと支持金６に一体の内腕金６a、６aとの係合状態を調節する蝶ボルト７と蝶ナット７aによってなされ、左右の移動及び両合わせ鏡１、１の開き角度Ｋの調整は受け軸４の上下端に螺設される蝶ボルト４fによってなされ、被写体Ｍに対してあらゆる方向からの細かい写像を入手できる。
【００１４】
図５に示した合わせ鏡装置Ｂについて説明すると、両合わせ鏡１、１（幅600mm、高さ1500〜1800mm、厚さ20mm）が装着される支柱２の垂直姿勢を確保する支持手段３０は、支柱２を蝶ボルト３０aで昇降自在に位置決めする案内管３０bと、案内管３０bの下端に接合される盤体３０cと、盤体３０cの４個所で下面に垂下されるキャスター３０dと、盤体３０cの上方で案内管３０bの周囲を支持する支持フレームとしてのハンドル状の上部支持体３０eと中間支持体３０fと、両者３０e、３０fと盤体３０cとを接合する３本の均等に配設される縦骨３０gと、支柱２に外嵌される逆Ｌ形のアームに吊下される所要重量のバランスウェイト２bとによってその姿勢が垂直に確保される。
【００１５】
支柱２と両合わせ鏡１、１を支持する受け軸４との関係は、図６に示すように、支柱２に対して上下方向に所要間隔で摺動自在に外嵌され蝶ボルト５aで接合される一対の受け金５、５には、それぞれ合わせ鏡１の方向へ向けてその外周に一対の外腕金５b、５bが支柱２の軸心に対して直交する方向に突設され、各上下の外腕金５b、５bには水平方向に所要長さの長孔５cが開口され、両外腕金５b、５bに対してその内幅に内嵌する幅寸法の両内腕金６a、６aはそれぞれ受け軸４の支持管４gに溶着されるとともに、その先端部にボルト挿通孔６dが貫設され、各外腕金５b、５bの長孔５cと各内腕金６a、６aのボルト挿通孔６dには蝶ボルト７が挿通され蝶ナット７aで締結される。支持管４gにはそれぞれ上下において、所要寸法突出した軸棒４aが接合（溶着又はセットスクリュー等で）され、軸棒４aの突出部には横向きＴ状の一対の鏡取付け金具４０、４０の各水平辺４０a、４０aが開閉自在に重畳外嵌されるとともに、軸棒４aの中心に螺設したネジ孔に螺合される蝶ボルト４fによって座金４eを介して受け軸４に締結され、鏡取付け金具４０、４０各垂直辺４０b、４０bには両合わせ鏡１、１の縦框の上下部がビス止めされ、蝶ボルト４fによって一対の合わせ鏡１、１は図８の仮想線で示すように、所要の開き角度Ｋでその姿勢が保持される。
【００１６】
このようにして成る合わせ鏡装置Ｂは、支柱２の支持手段３０が単独に移動自在であるから、正面鏡の設置された場所（例えば試着室や仮縫室など）に簡便に持ち込まれ、被写体Ｍのあらゆる方面からの写像を入手できる。各個の室内での設備コストを要することなく極めて効率的に活用できる。
なお、合わせ鏡装置Ｂにおいて、合わせ鏡１の材質をガラスに代えてフィルム製のものとしたときは軽量化できるのでバランスウェイト２bも軽量となり、移動操作は軽便化される。
【００１７】
合わせ鏡１の移動について、人物Ｍと正面鏡３jと合わせ鏡１とが所望の映像を得る直線的関係位置にある場合に、なおも人物Ｍが一側面を見たいときには、合わせ鏡１を人物Ｍを中心点として円弧状に回動させるようにキャスター３０dなどの軌道を設定することができる。
合わせ鏡の高さと横幅は、図１に示すように基本的には人物Ｍの高さの２分の１、横幅は人物Ｍの横幅の２倍が望まれる。鏡面は平滑面以外に僅かな凹突面のものが考えられ、局部の拡大像を得たい場合には、人物Ｍの局部に拡大鏡を当接するがよい。
実験によれば、図１において、人物Ｍと正面鏡３jの高さはそれぞれ１に対し、合わせ鏡１の高さは２分の１で最低限足り、
人物Ｍの頭の中心から合わせ鏡１と正面鏡３jとの距離比は体1対2.5であった。
【産業上の利用可能性】
【００１８】
本発明の合わせ鏡装置は、理美容業界での利用は元より、アパレル業界に関連する量販店の試着室や服飾業界での仮縫室などのほか、放送関係やファッション関係でのヘアーメイク室などでも利用できるから、その需要は大いに期待される。
【図面の簡単な説明】
【００１９】
【図１】本発明に係る合わせ鏡装置Ａの使用状態の説明図。
【図２】合わせ鏡装置Ａの要部の部分拡大説明図。
【図３】図２の上部Ｐ矢視図。
【図４】図３における受け軸４の移動状態の説明図。
【図５】本発明に係る合わせ鏡装置Ｂの正面図。
【図６】合わせ鏡装置Ｂの要部の部分拡大説明図。
【図７】図５の平面図。
【図８】図５の上部部分拡大平面図。
【符号の説明】
【００２０】
１：合わせ鏡
２：支柱
２a：調整棒
２b：バランスウェイト
３：支持手段
３a：固定柱
３b：案内レール
３c：ロール体
３d：垂直軸
３e：取付け板
３f：取付け孔
３g：ナット
３h：ネジ軸
３i：キャスター
３j：正面鏡
４：受け軸
４a：軸棒
４b：鏡取付け金具
４c：長孔
４d：スペーサー
４e：座金
４f：蝶ボルト
４g：支持管
５：受け金
５a：蝶ボルト
５b：外腕金
５c：長孔
５d：ボルト挿通孔
６：支持金
６a：内腕金
６b：水平辺
６c：垂直辺
６d：ボルト挿通孔
６e：嵌着孔
７：蝶ボルト
７a：蝶ナット
８：ボルト
８a：ナット
９：蝶番
１０：固定金
１０a：ボルト
３０：支持手段
３０a：蝶ボルト
３０b：案内管
３０c：盤体
３０d：キャスター
３０e：上部支持体
３０f：中間支持体
３０g：縦骨
４０：鏡取付け金具
４０a：水平辺
４０b：垂直辺
Ｋ：開き角度
Ｍ：被写体
Ａ、Ｂ：合わせ鏡装置
【図１】
2009254729.tif 000003
【図２】
2009254729.tif 000004
【図３】
2009254729.tif 000005
【図４】
2009254729.tif 000006
【図５】
2009254729.tif 000007
【図６】
2009254729.tif 000008
【図７】
2009254729.tif 000009
【図８】
2009254729.tif 000010